(57)【要約】【課題】  横編機を用いてフィット性に優れる立体的なフード付き編地を容易に編成するための方法を提供する。【解決手段】  フード１１は着用時における上下方向を針床の長手方向に平行とした状態で編成するので、引き返し編成を行うだけで容易にダーツ６を形成できる。ダーツ６の形成によってフード１１の頭頂部３は丸みをおびた立体的な形状となり、着用時のフィット性が向上する。フードの編出し位置や引き返し編成を調整すれば、フードの大きさを容易に変化させることもできる。【選択図】  図１
2009062636.tif 000002
【特許請求の範囲】
【請求項１】
左右方向に延び、かつ前後方向に対向する少なくとも一対の針床を有し、前後の針床の少なくとも一方が左右にラッキング可能で、かつ前後の針床間で編目の目移しが可能な横編機を用いて頭部を覆うフードと身頃とが襟首部で繋がるフード付き編地を編成する方法であって、以下のステップを含むことを特徴とする編成方法；
（１）頭頂部側と襟首部側とを結ぶ方向が針床の長手方向に対して平行となるようにしてフードを一端側から編出すステップ、
（２）前記頭頂部の編成に際し、編幅を減増する引き返し編成を行ってダーツを形成するステップ、
（３）フードの他端側の編成において伏目を行うステップ。
【請求項２】
襟首部側と裾側とを結ぶ方向が針床の長手方向に対して平行となるようにして身頃を一端側から編出し、身頃の他端側の編成において伏目を行うことを特徴とする、請求項１に記載の編地の編成方法。
【発明の詳細な説明】
【技術分野】
【０００１】
本発明は、着用時のフィット性に優れる立体的なフード付き編地とその編成方法に関する。
【背景技術】
【０００２】
スポーツ用或いは防寒・暴風用の衣類として、フードを有するパーカーなどのニットウェア（編地）がある。これらの編地の編成には主に横編機が用いられており、フードや身頃、袖などをパーツ毎に編成して縫製で仕上げる方法や、編機上で各パーツを接合する方法により製造される。とりわけ後者の方法では編地には縫製箇所が生じないため、着用時のゴワつきが無くなるとともに優れた伸縮性を得ることができる。
【０００３】
フードや身頃、袖などの各パーツを編機上で接合してフード付き編地を編成する場合、裾側および袖口側から編出した身頃と両袖をそれぞれ筒状に編成していき、胸部付近の編成に際して目移しを行って身頃と両袖を接合する。身頃を襟首部まで編成した後、フードを一体的に編成する。図３は、前後に対向する２枚の針床（図示なし）に対して前後身頃をそれぞれ配置した状態で襟首部４まで身頃２を編成した後、前身頃側に開口部が形成されるようにフード３１を編成する場合のフード付き編地３０の概略図である。図４は、図３のときと同様にして襟首部４まで編成した身頃２を針床上で略９０度回転させた後、開口部が針床の長手方向の一方側に形成されるようにフード４１を編成する場合のフード付き編地４０の概略図である。
【０００４】
図３，図４に示されるフード３１，４１の編成では、いずれも編幅を増減しながらＣ字状の引き返し編成を行って形成していき、編み終わりの頭頂部３では公知の伏目を行う。
【発明の開示】
【発明が解決しようとする課題】
【０００５】
従来の編成方法では、フード３１，４１は２枚の編地が成形されながらその端部が繋がるようにして平面的に形成されるので、頭部に着用する場合にはフィットしない場合があった。
【０００６】
本発明の目的は、横編機を用いてフィット性に優れる立体的なフード付き編地を容易に編成するための方法を提供することである。
【課題を解決するための手段】
【０００７】
本発明の編成方法は、左右方向に延び、かつ前後方向に対向する少なくとも一対の針床を有し、前後の針床の少なくとも一方が左右にラッキング可能で、かつ前後の針床間で編目の目移しが可能な横編機を用いて頭部を覆うフードと身頃とが襟首部で繋がるフード付き編地を編成する方法であって、以下のステップを含むことを特徴とする。
（１）頭頂部側と襟首部側とを結ぶ方向が針床の長手方向に対して平行となるようにしてフードを一端側から編出すステップ、
（２）前記頭頂部の編成に際し、編幅を減増する引き返し編成を行ってダーツを形成するステップ、
（３）フードの他端側の編成において伏目を行うステップ。
【０００８】
また、本発明の編成方法は、襟首部側と裾側とを結ぶ方向が針床の長手方向に対して平行となるようにして身頃を一端側から編出し、身頃の他端側の編成において伏目を行うことを特徴とする。
【発明の効果】
【０００９】
本発明の編成方法によれば、フードの頭頂部と襟首部を結ぶ方向を針床の長手方向に対して平行にした状態で編成するので、引き返し編成を行なうだけで容易にフードの頭頂部へダーツを形成することができる。ダーツの形成によってフードは丸みをおびた立体的な形状となり、着用時のフィット性が向上する。さらに、フードの編出し位置や引き返し編成を調整すれば、フードの大きさを容易に変化させることができる。
【００１０】
また、本発明の編成方法によれば、身頃もフードと同じ方向で編成するので、これらを一体的に形成することができる。
【発明を実施するための最良の形態】
【００１１】
次に本発明の実施例を図面に基づいて詳細に説明する。なお、以下に示す実施例では、左右方向に延び、かつ前後方向に対向する少なくとも一対の針床を有し、前後の針床の少なくとも一方が左右にラッキング可能で、かつ前後の針床間で編目の目移しが可能な２枚ベッドの横編機を用いてフード付き編地の編成を行う。
【００１２】
（実施例１）
図１は、実施例１におけるフード付き編地１０の概略的な型紙を示す正面図である。フード１１と後身頃２Ｂとは襟首部４で繋がっており、頭頂部３を紙面左に、身頃の裾５を紙面右に配した状態で袖口７ａから袖口７ｂに向けて図中の矢印の方向に編成を進める。なお、図示しない前針床の編針で前身頃２Ｆを、後針床の編針で後身頃２Ｂとフード１１を編成するものとし、袖口７ａ，７ｂと袖８ａ，８ｂは前後針床の編針で編成する。具体的には以下の手順で編成を行う。
【００１３】
任意の給糸口から針床の編針へ供給される編糸を用いて、右袖口７ａを前後の針床で筒状に編出し、続けて右袖８ａを筒状に編成する。後述する右袖８ａと身頃２との接合部分に至るまでに、他の給糸口から供給される編糸を用いてフード１１の一端側である側面部９ａから編出し編成を行う。フード１１の編成は編幅を増やしながら行い、右袖８ａに続けて編出される身頃２と襟首部４において公知の方法により接続する。なお、図１の型紙では、フード１１の編成は後針床において平編みで行う。身頃２の編成は、右袖８ａに続く一端側の編み出し位置２ａを境にして前後針床の編針で前身頃２Ｆと後身頃２Ｂをそれぞれ異なる給糸口からの編糸を用いて編成するとともに、襟首部４と裾５に開口するように形成する。フード１１の頭頂部３の編成では、編幅を減増する引き返し編成を行うことでダーツ６を形成する。前記引き返し編成により編成コースの異なる編目同士が接続され、頭頂部３は立体的に形成される。以降、左袖８ｂを筒状に編成開始するとともに身頃２の他端側の編み終わり位置２ｂで伏目を行い、フード１１についても編幅を減らしながら他端側の側端部９ｂで伏目を行う。そして、左袖８ｂに続けて左袖口７ｂを編成し、伏目して編み終える。
【００１４】
以上のように、実施例１に示した編成方法によれば、フード１１は着用時における上下方向を針床の長手方向に平行とした状態で編成するので、引き返し編成を行うだけで容易にダーツ６を形成できる。ダーツ６の形成によってフード１１の頭頂部３は丸みをおびた立体的な形状となり、着用時のフィット性が向上する。また、フードの編出し位置や引き返し編成を調整すれば、フードの大きさを容易に変化させることも可能である。さらに、身頃２もフード１１と同じ方向で編成するので、容易にこれらを一体的に編成することができる。
【００１５】
（実施例２）
図２は、実施例２におけるフード付き編地２０の概略的な型紙を示す正面図である。図１と同一の参照符が付されたものについては実施例１で説明した方法と同様の工程で編成を行うことができ、本実施例では説明を省略する。なお、本実施例でも、フード２１の編成は、後針床２Ｂにおいて平編みで行う。図２において、実施例１と同様に、右袖８ａと身頃２との接合部分に至るまでにフード２１を一端側の側端部９ａで編み出して、編幅を増減しながら編成していく。このとき、側端部９ａで引き返し編成を行ってダーツ６ａを形成する。そして、頭頂部３では実施例１よりも多くのダーツ６を引き返し編成により形成する。編幅を減増しながらフード２１の編成を続け、他端側の側端部９ｂでも引き返し編成を行ってダーツ６ｂを形成するとともに、側端部９ｂの編み終わりで伏目を行う。なお、身頃２の編成については前記したように実施例１と同様の工程であるが、図２の型紙にあるように、肩の編成において前後の身頃が繋がるように編成することが好ましい。
【００１６】
以上、実施例２に示した編成方法では、頭頂部３をさらに精度良く立体的に形成するので、着用時のフィット性が向上する。また、フード２１の側面部９ａ，９ｂにもダーツ６ａ，６ｂを形成するので、さらに着用時のフィット性が高まる。
【００１７】
なお、上記した実施例では説明の便宜を図るためフード１１，２１の編成は後針床の編針で平編みするとしたが、図３のフード３１のように前針床の襟首部にもフード１１，２１の一部を接続して頭部全体を覆うような袋状に編成にしてもよい。或いは、上記実施例においてフード１１，２１を大きく形成しておき、縫製により頭部全体を覆うような形状にしてもよいし、別の編地を縫着して頭部全体を覆うような形状にしてもよい。また、ダーツ６ａ，６ｂを設ける位置はフード１１，２１の側面部９ａ，９ｂに限らず、任意の場所に設けても良い。さらに、フードのみを実施例の方向で編成して、裾から襟首部に向けて形成した身頃と針床上で接続するようにしてもよい。
【図面の簡単な説明】
【００１８】
【図１】本発明の実施の一形態としてのフード付き編地１０の概略的な型紙を示す正面図である。
【図２】本発明の実施の他の形態としてのフード付き編地２０の概略的な型紙を示す正面図である。
【図３】従来方法により編成されるフード付き編地３０の概略図である。
【図４】従来方法により編成されるフード付き編地４０の概略図である。
【符号の説明】
【００１９】
１０，２０，３０，４０  フード付き編地
１１，２１，３１，４１  フード
９ａ，９ｂ              フードの側面部
２                      身頃
２Ｆ                    前身頃
２Ｂ                    後身頃
２ａ，２ｂ              身頃の側面部
３                      頭頂部
４                      襟首部
６，６ａ，６ｂ          ダーツ
【図１】
2009062636.tif 000003
【図２】
2009062636.tif 000004
【図３】
2009062636.tif 000005
【図４】
2009062636.tif 000006